(57)【特許請求の範囲】
【請求項１】
正方形または正六角形の複数のパズル片と、これら複数のパズル片を載置するための台座と、を備え、
前記複数のパズル片の外周の複数の辺に沿った位置には、複数の通行停止線および通行可能部が設けられており、
前記複数のパズル片として、前記複数の通行停止線の配置態様が相違する複数種類のパズル片が設けられ、
前記複数のパズル片を前記台座上において並べることにより迷路を作成するのに用いられる、迷路玩具であって、
前記複数のパズル片の通行停止線としては、各パズル片の各辺と略同一長さの長寸法通行停止線と、前記各辺の略半分の長さの短寸法通行停止線と、の２種類の長さの通行停止線のみが設けられ、
前記通行停止線が設けられる位置としては、前記各パズル片の各辺に沿った位置に加え、前記正方形のパズル片を４つの同一サイズの正方形に区画する縦横２本の中心線上の位置のみ、または前記正六角形のパズル片を６つの同一サイズの正三角形に区画する３本の中心線上の位置のみとされ、かつ前記各パズル片の前記通行可能部としては、３以上の通行可能部が設けられており、
前記台座および前記複数のパズル片とは別体で形成され、かつ前記迷路の入口および出口を表示するのに利用される表示部材を、さらに備えており、
前記表示部材は、前記台座への磁力吸着が可能とされ、または前記台座に設けられた複数の凹部への出し入れが可能とされ、前記台座のうち、前記複数のパズル片が載置される領域の外側領域において取り付け位置の変更が可能とされていることを特徴とする、迷路玩具。
【請求項２】
請求項１に記載の迷路玩具であって、
前記複数のパズル片のうち、一部のパズル片は、他のパズル片と比較して、外形、サイズ、通行停止線および通行可能部以外の要素において異なった外観を有しており、
前記複数のパズル片を用いて作成される迷路として、迷路の入口から出口に到達する迄に前記一部のパズル片の位置を通過することを義務付ける迷路を作成することが可能とされている、迷路玩具。
【発明の詳細な説明】
【技術分野】
【０００１】
本発明は、迷路玩具に関する。
【背景技術】
【０００２】
本出願人は、迷路玩具の一例として、特許文献１に記載のものを先に提案している。
同文献に記載の迷路玩具は、正方形の複数のパズル片を備えており、各パズル片の外周の４つの辺には、通行停止線、およびこの通行停止線が排除されている通行可能部が設けられている。複数のパズル片を台座上に並べることにより、所定の入口から出口まで前記通行停止線によって遮断されていない通路（迷路）を作成し、遊ぶことができる。
【０００３】
しかしながら、前記従来技術においては、次のように未だ改善すべき余地があった。
【０００４】
すなわち、従来のパズル片に設けられている通行停止線の長さは、各パズル片の一辺の長さと同じであって、１種類の長さだけとされている。また、通行停止線が設けられる位置は、パズル片の外周の４つの辺のいずれかの位置に限られている。このため、各パズル片において設けられる通行停止線の形状は、平面視Ｌ字状またはＩ字状の単純な形状のものとなる。これでは、１つのパズル片によって作成し得る通路のバリエーションの数は少なく、比較的複雑な形状をもつ迷路を作成するには、かなり多くのパズル片を用いる必要がある。その結果、迷路を作成するのに手間取るものとなっている。また、多くのパズル片が必要であることに起因し、迷路玩具のコストが高くなり、さらには全体が嵩張ったものになり易いといった不利もある。
【先行技術文献】
【特許文献】
【０００５】
【特許文献１】特公平０１−４６１５４号公報
【発明の概要】
【発明が解決しようとする課題】
【０００６】
本発明は、前記したような事情のもとで考え出されたものであり、比較的複雑な形状をもつ迷路であっても、パズル片をさほど多く用いることなく簡便に作成することが可能な迷路玩具を提供することを、その課題としている。
【課題を解決するための手段】
【０００７】
上記の課題を解決するため、本発明では、次の技術的手段を講じている。
【０００８】
本発明により提供される迷路玩具は、正方形または正六角形の複数のパズル片と、これら複数のパズル片を載置するための台座と、を備え、前記複数のパズル片の外周の複数の辺に沿った位置には、複数の通行停止線および通行可能部が設けられており、前記複数のパズル片として、前記複数の通行停止線の配置態様が相違する複数種類のパズル片が設けられ、前記複数のパズル片を前記台座上において並べることにより迷路を作成するのに用いられる、迷路玩具であって、前記複数のパズル片の通行停止線としては、各パズル片の各辺と略同一長さの長寸法通行停止線と、前記各辺の略半分の長さの短寸法通行停止線と、の２種類の長さの通行停止線のみが設けられ、前記通行停止線が設けられる位置としては、前記各パズル片の各辺に沿った位置に加え、前記正方形のパズル片を４つの同一サイズの正方形に区画する縦横２本の中心線上の位置のみ、または前記正六角形のパズル片を６つの同一サイズの正三角形に区画する３本の中心線上の位置のみとされ、かつ前記各パズル片の前記通行可能部としては、３以上の通行可能部が設けられており、前記台座および前記複数のパズル片とは別体で形成され、かつ前記迷路の入口および出口を表示するのに利用される表示部材を、さらに備えており、前記表示部材は、前記台座への磁力吸着が可能とされ、または前記台座に設けられた複数の凹部への出し入れが可能とされ、前記台座のうち、前記複数のパズル片が載置される領域の外側領域において取り付け位置の変更が可能とされていることを特徴としている。
【０００９】
このような構成によれば、前記各パズル片の通行停止線として、長さが異なる２種類の通行停止線が設けられていること、および通行停止線が各パズル片の各辺に沿った位置に加えて、所定の中心線上の位置にも設けられていることに基づき、１つのパズル片に設けられる通行停止線と通行可能部との配置態様を、従来技術よりも複雑なものとし、かつそのバリエーションの数を多くすることができる（正方形のパズル片の場合、１枚のパズル片によって、前記従来技術の４枚のパズル片に相当する通行停止線を表現することが可能である）。このようなことから、本発明によれば、比較的複雑な形状をもつ迷路であっても、さほど多くのパズル片を用いることなく簡便に作成することが可能となり、迷路遊びを楽しむ上で好ましいものとなる。また、パズル片の総数を減らすことができるために、迷路玩具のコスト低減を図ることができるとともに、迷路玩具全体が嵩張ったものになることも好適に抑制することが可能である。
さらにこのような構成によれば、パズル片の配置を変更することによって様々なパターンの迷路を作成する場合に、迷路の入口および出口を変更することによっても迷路のパターンを変更することができる。したがって、作成可能な迷路のバリエーションを多くする上で、より好ましいものとなる。
【００１０】
本発明において、好ましくは、前記複数のパズル片のうち、一部のパズル片は、他のパズル片と比較して、外形、サイズ、通行停止線および通行可能部以外の要素において異なった外観を有しており、前記複数のパズル片を用いて作成される迷路として、迷路の入口から出口に到達する迄に前記一部のパズル片の位置を通過することを義務付ける迷路を作成することが可能とされている。
前記一部のパズル片としては、前記他のパズル片とは色彩が相違し、または前記他のパズル片には非表示の模様、文字もしくは記号が付された構成とすることができる。
【００１１】
このような構成によれば、より面白みのある迷路遊びが可能となる。
【００１４】
本発明のその他の特徴および利点は、添付図面を参照して以下に行なう発明の実施の形態の説明から、より明らかになるであろう。
【図面の簡単な説明】
【００１５】
【図１】本発明に係る迷路玩具の一例を示す概略斜視図である。
【図２】（ａ）〜（ｇ）は、図１に示す迷路玩具のパズル片を示す平面図である。
【図３】図２に示すパズル片の通行停止線が設けられる位置の説明図である。
【図４】図１に示す迷路玩具の一使用例を示す平面図である。
【図５】本発明に係る迷路玩具の他の例を示す一部省略概略平面図である。
【図６】（ａ）〜（ｆ）は、図５に示す迷路玩具のパズル片を示す平面図である。
【図７】図６に示すパズル片の通行停止線が設けられる位置の説明図である。
【発明を実施するための形態】
【００１６】
以下、本発明の好ましい実施の形態について、図面を参照して具体的に説明する。
【００１７】
図１〜図４は、本発明に係る迷路玩具の一実施形態またはこれに関連する構成を示している。図１に示す迷路玩具Ａ１は、複数のパズル片１、台座２、および迷路の入口や出口を表示するための一対の表示部材３（３ａ，３ｂ）を備えている。
【００１８】
複数のパズル片１は、樹脂製あるいは紙製などの正方形状のチップであり、同一サイズに揃えられている。ただし、図２（ａ）〜（ｆ）に示すように、複数のパズル片１としては、後述する通行停止線１０および通行可能部１１の配置態様が相違する複数種類のパズル片１（１ａ〜１ｆ）がある（同図（ｇ）のパズル片１ｇについては後述する）。各パズル片１は、基本的には、パズル片１の外周の４つの辺１２に、複数の通行停止線１０および通行可能部１１が設けられた構成である。通行停止線１０は、たとえば黒色やその他の色彩の印刷をパズル片１に施すことにより設けられている。通行可能部１１は、パズル片１の外周の４辺１２のうち、通行停止線１０が設けられていない部分である。
【００１９】
通行停止線１０としては、パズル片１の一辺（各辺１２）と略同一長さの長寸法通行停止線１０（１０ａ）と、前記一辺の略半分の長さの短寸法通行停止線１０（１０ｂ）との２種類が設けられている。また、通行停止線１０が設けられる位置としては、各パズル片１の各辺１２に沿った位置に加え、図３に示すように、正方形のパズル片１を４つの同一サイズの正方形Ｓ１に区画する縦横２本の中心線Ｌ１，Ｌ２上の位置が対象に含まれている。
図２（ａ）〜（ｆ）に示すパズル片１ａ〜１ｆは、前記した通行停止線１０および通行可能部１１の配置態様が相違するように構成されている。好ましくは、これら６種類のパズル片１は、外周に設けられている通行可能部１１の数が３以上とされている。ちなみに、同図（ｂ），（ｅ）のパズル片１ｂ，１ｅどうし、および同図（ｃ），（ｆ）のパズル片１ｃ，１ｆどうしは、通行停止線１０の配置態様が左右対称となっている。たとえば、同図（ａ）〜（ｄ）の４種類のパズル片１ａ〜１ｄのみを用いた構成とすることが可能であるが、この場合には一連に繋がった迷路を作成する上で融通性が少なくなる。これに対し、前記４種類のパズル片１ａ〜１ｄに加えて、２種類のパズル片１ｅ，１ｆをさらに用いることによって、迷路を作成する上での融通性が格段に大きくなる利点が得られる。
【００２０】
図２（ａ）〜（ｆ）のパズル片１ａ〜１ｆは、通行停止線１０以外の領域がたとえば無模様の白色とされている。これに対し、同図（ｇ）のパズル片１ｇは、通行停止線１０以外の領域が、たとえば赤色に着色されたり、あるいは模様が付されるなど、他のパズル片１とは異なった色彩あるいは模様をもつ区別用領域Ｓａとされている。すなわち、パズル片１ｇは、他のパズル片１ａ〜１ｆと比較して、外形、サイズ、ならびに通行停止線１０や通行可能部１１の配置態様以外の要素において異なった外観をもち、他のパズル片１とは容易に区別し得るものとされている。このパズル片１ｇは、後述するように、迷路の入口から出口に到達する迄に前記一部のパズル片の位置を通過することを義務付ける迷路を作成するのに利用可能である。図面においては、パズル片１ｇの通行停止線１０の配置態様が、同図（ａ）のパズル片１ａと同様とされているが、本発明においてはこれに限定されず、他のパズル片１ａ〜１ｆとは通行停止線１０の配置態様が異なるものとされていてもよい。
パズル片１の通行停止線１０や区別用領域Ｓａは、パズル片１の表面のみならず、裏面にも設けた構成とすることが可能である。この場合、表面および裏面のそれぞれにおける通行停止線１０の配置態様は、同一および非同一のいずれであってもよい。
【００２１】
台座２は、全体が樹脂製あるいは紙製の略平板状の部材を用いて構成されており、この台座２の上面部には、複数のパズル片１を用いて迷路を作成する際に複数のパズル片１の全体の輪郭の位置決めを図ることが可能な矩形状の凹部２０が形成されている。凹部２０
の縦横の寸法は、各パズル片１の縦横の寸法の整数倍と同一またはそれよりも僅かに大きな寸法である。
【００２２】
一対の表示部材３（３ａ，３ｂ）は、迷路の入口および出口を表示するための部材であり、小片状である。この表示部材３は、たとえばマグネットシートを用いて構成されている。一方、台座２のうち、凹部２０の周辺部については薄板状の鉄板が埋設された構成、あるいは鉄板が体裁よく表面部に設けられた構成とされている。このことにより、凹部２０の周辺部に表示部材３を磁力吸着させることが可能であり、台座２に対する表示部材３の取り付け位置が変更自在となっている。
【００２３】
次に、前記した迷路玩具Ａ１の使用例ならびに作用について説明する。
【００２４】
迷路を作成するには、図１に示すように、台座２の凹部２０上に複数のパズル片１を並べていく。その際、連続した通路が形成されるように、パズル片１の種類や向きなどを考慮する。台座２には表示部材３を取り付け、迷路の入口および出口を示しておく。このことにより、たとえば図４に示すように、入口から出口まで一連の通路Ｒ１が形成された迷路を作成することができる。パズル片１は、既述したように、長寸法通行停止線１０（１０ａ）と短寸法通行停止線１０（１０ｂ）との２種類の通行停止線１０が設けられたものとされ、しかもこれら通行停止線１０が設けられる位置は、各パズル片１の各辺１２に加えて、パズル片１の中心を通過する縦横２本の中心線Ｌ１，Ｌ２上の位置も含まれているため、１つのパズル片１によって設けられる通行停止線１０の配置態様が複雑化したものとなる。このため、比較的少数のパズル片１を用いるだけで複雑な迷路を簡便に作成することが可能となり、迷路遊びを楽しむ上で好ましいものとなる。また、パズル片１の総数を減らすことができることにより、迷路玩具Ａ１の製造コストの低減、ならびに迷路玩具Ａ１の全体の嵩張りの抑制などを好適に図ることが可能である。
【００２５】
本実施形態の迷路玩具Ａ１においては、図４に示されているように、パズル片１ｇを通過することを遊戯者に義務付けた迷路を作成することが可能である。したがって、単に入口から出口までの通路Ｒ１を探求するだけの迷路とは異なった面白さをもったものとすることもできる。なお、パズル片１の総数は、台座２の凹部２０に載置可能な最大数よりも多い数としておき、パズル片１ｇを用いることなく、他のパズル片１ａ〜１ｆのみを用いて通常の迷路を作成し得るように構成することもできる。また、これとは異なり、複数のパズル片１ｇを備えた構成とし、これら複数のパズル片１ｇのそれぞれの箇所を通過することを義務付ける迷路を作成可能とすることもできる。
【００２６】
さらに、迷路の入口および出口の位置は、一対の表示部材３の位置を変更することによって適宜変更することができるために、様々なパターンの迷路を次々と作成していく上で融通が効き、迷路のバリエーションを多くする上でも好ましいものとなる。台座２に対する表示部材３の取り付けは、磁力吸着方式であるため、その位置変更は容易であり、使い勝手もよい。
【００２７】
図５〜図７は、本発明の他の実施形態を示している。これらの図において、前記実施形態と同一または類似の要素には、前記実施形態と同一の符号を付している。
【００２８】
図５に示す迷路玩具Ａ２においては、台座２上に並べられる複数のパズル片１は、外形が正六角形のチップ片とされている。このような正六角形のパズル片１も、正方形のパズル片１と同様に、隙間なく並べることが可能である。複数のパズル片１としては、たとえば図６（ａ）〜（ｆ）に示すように、通行停止線１０および通行可能部１１の配置態様が相違する６種類のパズル片１ｈ〜１ｍがある。通行停止線１０としては、前記実施形態と同様に、各辺１２の長さと略同一長さ、および略半分の長さとされた長寸法通行停止線１
０（１０ａ）、および短寸法通行停止線１０（１０ｂ）がある。また、通行停止線１０が設けられる位置としては、各パズル片１の各辺１２に沿った位置に加え、図７に示すように、正六角形のパズル片１を６つの同一サイズの正三角形Ｔ１に区画する計３本の中心線Ｌ３〜Ｌ５上の位置が対象に含まれている。
【００２９】
本実施形態によれば、正方形のパズル片１を用いる場合と比較して、１枚のパズル片１における通行停止線１０および通行可能部１１の配置態様をさらに複雑化することが可能である。また、パズル片１の外形が正六角形であること自体にも面白さをもたせることもできる。
【００３０】
本発明は、上述した実施形態の内容に限定されない。本発明に係る迷路玩具の各部の具体的な構成は、本発明の意図する範囲内において種々に設計変更自在である。
【００３１】
複数のパズル片の通行停止線１０の具体的な配置態様は、種々に変更可能であり、パズル片の具体的な総数、種類の数も限定されない。通行停止線は、印刷などの手段を用いた２次元的なものに限らず、たとえばパズル片の一部を凸状に形成することによって通行停止線を３次元的に設けた構成とすることもできる。
【００３２】
台座は、迷路を作成する際に複数のパズル片を位置決め載置させるための役割を果たすものであればよく、その具体的な形状、サイズ、材質などは限定されない。なお、表示部材を位置変更可能とするための手段としては、たとえば台座に表示部材を出し入れ可能に嵌入可能とする凹部を複数箇所形成し、かつこれら複数の凹部のいずれかを選択して表示部材を嵌入させることにより台座への表示部材の取り付けを図るといった手段を採用することも可能である。
【符号の説明】
【００３３】
Ａ１，Ａ２  迷路玩具
Ｌ１〜Ｌ５  中心線
１  パズル片
２  台座
３  表示部材
１０  通行停止線
１０ａ  長寸法通行停止線
１０ｂ  短寸法通行停止線
１１  通行可能部
１２  辺
【図１】
0005916158.tif 000002
【図２】
0005916158.tif 000003
【図３】
0005916158.tif 000004
【図４】
0005916158.tif 000005
【図５】
0005916158.tif 000006
【図６】
0005916158.tif 000007
【図７】
0005916158.tif 000008